【手続補正書】
【提出日】平成16年9月27日(2004.9.27)
【手続補正１】
【補正対象書類名】明細書
【補正対象項目名】００３５
【補正方法】変更
【補正の内容】
【００３５】
図２に示すＶＴＲ１００はビデオＬ入力端子１１０、ビデオＲ入力端子１２０及びオーディオ信号入力端子１３０を有している。ビデオＬ入力端子１１０にはビデオ圧縮回路１１が接続され、ビデオカメラ＃１からのＬｃｈ記録ビデオ信号ＬＳinを入力して圧縮するようになされる。例えば、ビデオ圧縮回路１１ではＬｃｈ記録ビデオ信号ＬＳinが８×８画素の二次元ブロックに分割され、ＤＣＴ等のブロック符号化を用いたデータ圧縮処理が行われる。
【手続補正２】
【補正対象書類名】明細書
【補正対象項目名】００３６
【補正方法】変更
【補正の内容】
【００３６】
また、ビデオＲ入力端子１２０にはビデオ圧縮回路１２が接続され、ビデオカメラ＃２からのＲｃｈ記録ビデオ信号ＲＳinを入力して圧縮するようになされる。ビデオ圧縮回路１２では同様にして、Ｒｃｈ記録ビデオ信号ＲＳinが８×８画素の二次元ブロックに分割され、ＤＣＴ等のブロック符号化を用いたデータ圧縮処理が行われる。
【手続補正３】
【補正対象書類名】明細書
【補正対象項目名】００３９
【補正方法】変更
【補正の内容】
【００３９】
例えば、記録手段４はパリティ付加回路３０、記録回路４０、ヘリカル記録ヘッド５０、ＣＬＴ発生器６０及びＣＴＬ記録ヘッド７０を有している。上述のマルチプレックス回路２０及びオーディオ信号入力端子１３０には、パリティ付加回路３０が接続され、マルチプレックス回路２０から多重化処理後のＲｃｈ、Ｌｃｈビデオデータ（圧縮符号化多重データ）ＤＲ＋ＤＬ及び、記録オーディオ信号ＡＳinを入力し、この圧縮符号化多重データＤＲ＋ＤＬに対して、符号化単位毎に積符号を用いたエラー訂正符号化処理が行われると共に、記録オーディオ信号ＡＳinに積符号を用いたエラー訂正符号化処理が行われる。
【手続補正４】
【補正対象書類名】明細書
【補正対象項目名】００４３
【補正方法】変更
【補正の内容】
【００４３】
このＳＤＲＡＭインタフェース３２には、入力書き込みバッファ３３が接続され、上述のマルチプレックス回路２０から供給されるビデオデータ（圧縮符号化多重データ）ＤＬ＋ＤＲをＳＤＲＡＭ３１に書き込むためのバッファとなされる。ＳＤＲＡＭインタフェース３２には、ビデオ用のＣ２読み出しバッファ３４が接続され、ＳＤＲＡＭ３１から読み出される３６個のＥＣＣブロックに対応したビデオデータＤｖを後述するビデオ用のＣ２エンコーダ３５に供給するためのバッファとなされる。
【手続補正５】
【補正対象書類名】明細書
【補正対象項目名】００４７
【補正方法】変更
【補正の内容】
【００４７】
例えば、ＳＤＲＡＭインタフェース３２には、オーディオ用の入力バッファ３１０が接続され、オーディオ信号入力端子１３０から供給される記録オーディオ信号ＡＳinを入力するためのバッファとなされる。入力バッファ３１０にはオーディオ用のＣ２エンコーダ３１１が接続され、各フィールドについて、２４個のＥＣＣブロックにおけるＣ２パリティ（外符号パリティ）を演算するようになされる。このＣ２訂正処理では、記録オーディオ信号ＡＳinをＣ２列順に入力する。Ｃ２エンコーダ３１１にはオーディオ用のＣ２書込みバッファ３１２が接続され、各フィールドについて、２４個のＥＣＣブロックに対応したオーディオデータＤａおよびＣ２パリティをＳＤＲＡＭインタフェース３２を介してＳＲＡＭ３１へ書き込むためのバッファとなされる。
【手続補正６】
【補正対象書類名】明細書
【補正対象項目名】００５７
【補正方法】変更
【補正の内容】
【００５７】
また、上方のビデオｓｙｎｃ（Ｍ）と第８区分目のオーディオｓｙｎｃ（Ｎ）との間にはギャップＧａｖが配置される。各区分のオーディオｓｙｎｃ間にはギャップＧａａが配置される。第１区分目のオーディオｓｙｎｃ（Ｎ）と下方のビデオｓｙｎｃ（Ｍ）との間にはサーボパイロット（サーボ制御信号：ＣＴＬ信号）が配置されている。第１区分目のオーディオｓｙｎｃ（Ｎ）とサーボパイロットと間にはギャップＧｓａが配置され、このサーボパイロットと下方のビデオｓｙｎｃ（Ｍ）との間にはギャップＧｖｓが配置される。再生時に信号処理スペースを採るためである。
【手続補正７】
【補正対象書類名】明細書
【補正対象項目名】００７１
【補正方法】変更
【補正の内容】
【００７１】
この実施形態では、被写体１を左右から同時に撮影して得た立体表示用の左右のフレームのデジタル情報を磁気テープ８０に記録する場合を前提とする。図１０に示すビデオデータＤＲ＋ＤＬ及びオーディオデータＤａのマッピング例（３Ｄ，３０Ｐ）によれば、通常表示用の１フレームのデジタル情報に対応した誤り訂正構成及び情報記録形式の単位で、立体表示用のビデオデータＤＲ＋ＤＬを左右のフレームに交互に並べて記録されて成るものである。
【手続補正８】
【補正対象書類名】明細書
【補正対象項目名】００８０
【補正方法】変更
【補正の内容】
【００８０】
これらを前提にして、図１に示したビデオカメラ＃１から図２のビデオＲ入力端子１２０を経由して入力したＲｃｈ記録ビデオ信号ＲＳinは、ビデオ圧縮回路１２によって圧縮される。例えば、ビデオ圧縮回路１２ではＲｃｈ記録ビデオ信号ＲＳinが８×８画素の二次元ブロックに分割され、ＤＣＴ等のブロック符号化を用いたデータ圧縮処理が行われる。
【手続補正９】
【補正対象書類名】明細書
【補正対象項目名】００８１
【補正方法】変更
【補正の内容】
【００８１】
また、ビデオカメラ＃２から図２のビデオＬ入力端子１１０を経由して入力したＬｃｈ記録ビデオ信号ＬＳinはビデオ圧縮回路１１によって圧縮される。例えば、ビデオ圧縮回路１１ではＬｃｈ記録ビデオ信号ＬＳinが８×８画素の二次元ブロックに分割され、ＤＣＴ等のブロック符号化を用いたデータ圧縮処理が行われる。
【手続補正１０】
【補正対象書類名】明細書
【補正対象項目名】００８２
【補正方法】変更
【補正の内容】
【００８２】
ビデオ圧縮回路１１で圧縮された後のＬｃｈビデオデータＤＬとビデオ圧縮回路１２で圧縮された後のＲｃｈビデオデータＤＲは、マルチプレックス回路２０によって多重化処理するようになされる。多重化処理された後のＲｃｈ及びＬｃｈビデオデータＤＲ＋ＤＬは記録手段４へ出力される。
【手続補正１１】
【補正対象書類名】明細書
【補正対象項目名】００９１
【補正方法】変更
【補正の内容】
【００９１】
このＳＹＮＣ／ＩＤ付加回路３８では、出力読み出しバッファ３７から記録順に出力される各シンクブロックのビデオデータ（またはＣ２パリティ）のデータ列に、シンクデータおよびＩＤを付加するようになされる。同様にして、出力読み出しバッファ３７から記録順に出力される各シンクブロックのオーディオデータＤａ（またはＣ２パリティ）のデータ列に、シンクデータおよびＩＤを付加するようになされる。
【手続補正１２】
【補正対象書類名】明細書
【補正対象項目名】００９６
【補正方法】変更
【補正の内容】
【００９６】
ＣＴＬ記録ヘッド７０はＣＴＬ発生器６０から出力される、６５％，５０％，３５％，５０％ようにデューティの異なる変調後のＣＴＬ信号を磁気テープ８０に記録するようになされる。これにより、図１０のビデオデータＤＲ＋ＤＬ及びオーディオデータＤａのマッピング例（３Ｄ，３０Ｐ）に示したように、通常表示用の１フレームのデジタル情報に対応した誤り訂正構成及び情報記録形式の単位で、立体表示用のビデオデータＤＲ＋ＤＬを左右のフレームに交互に並べて記録することができる。しかも、立体表示用の左右の連続したフレームのデジタル情報を連続した右フレームのデジタル情報又は連続した左フレームのデジタル情報に区分することができる。
【手続補正１３】
【補正対象書類名】明細書
【補正対象項目名】００９７
【補正方法】変更
【補正の内容】
【００９７】
また、ビデオデータＤＲ＋ＤＬ及びオーディオデータＤａのマッピング例（３Ｄ，３０Ｐ）を適用した磁気テープ８０によれば、立体表示用のビデオデータＤＲ、ＤＬを左右のフレームに交互に並べて記録されて成るものである。従って、磁気テープ８０で立体表示用の左右の連続したフレームのデジタル情報から、連続した右フレームのデジタル情報又は連続した左フレームのデジタル情報を読み出すことができる。これにより、３Ｄ映像音声記録再生システム１０ではない通常の映像再生システムにおいても、ダイナミックトラッキングにより、１フレーム飛ばしでビデオデータＤＲ又はＤＬを再生し、左右の任意のチャンネルの連続したビデオデータＤＲ又はＤＬ、及び、オーディオデータＤａを互換再生することが可能となる。
【手続補正１４】
【補正対象書類名】明細書
【補正対象項目名】００９８
【補正方法】変更
【補正の内容】
【００９８】
［他の情報記録装置］
図１２は、本発明に係る第２の実施例に係るＶＴＲ２００の記録系の構成例を示す構成図である。
図１２に示すＶＴＲ２００の記録系は、記録手段４’及びビデオ圧縮回路１１、１２を有しており、パリティ付加後にマルチプレックスする例である。この記録手段４’は２つのパリティ付加回路２１、２２と、１つのマルチプレックス回路２０、記録回路４０，ヘリカル記録ヘッド５０、ＣＴＬ発生器６０及びＣＴＬ記録ヘッド７０を有している。なお、第１の実施例と同じ符号及び名称のものは同じ機能を有するためその説明を省略する。２つのパリティ付加回路２１、２２は第１の実施例で説明したパリティ付加回路３０と同じ機能を有している。
【手続補正１５】
【補正対象書類名】明細書
【補正対象項目名】００９９
【補正方法】変更
【補正の内容】
【００９９】
パリティ付加回路２１では、データ圧縮後のＬｃｈビデオデータ（圧縮符号化多重データ）ＤＬ及び、オーディオ信号入力端子１３０からの記録オーディオ信号ＡＳinを入力し、この圧縮符号化多重データＤＬに対して、符号化単位毎に積符号を用いたエラー訂正符号化処理が行われると共に、記録オーディオ信号ＡＳinに積符号を用いたエラー訂正符号化処理が行われる。
【手続補正１６】
【補正対象書類名】明細書
【補正対象項目名】０１００
【補正方法】変更
【補正の内容】
【０１００】
パリティ付加回路２２では、データ圧縮後のＲｃｈビデオデータ（圧縮符号化多重データ）ＤＲ及び、オーディオ信号入力端子１３０からの記録オーディオ信号ＡＳinを入力し、この圧縮符号化多重データＤＲに対して、符号化単位毎に積符号を用いたエラー訂正符号化処理が行われると共に、記録オーディオ信号ＡＳinに積符号を用いたエラー訂正符号化処理が行われる。
【手続補正１７】
【補正対象書類名】明細書
【補正対象項目名】０１０５
【補正方法】変更
【補正の内容】
【０１０５】
このＶＴＲ３００は再生手段６、オーディオ出力端子１８、ビデオＲ出力端子１９Ａ、１９Ｂ、ビデオ伸長回路９０Ａ及び９０Ｂを有している。再生手段６は、通常表示用の１フレームのデジタル情報を再生する速度のｎ倍の速度で、かつ、当該通常表示用の１フレームのデジタル情報に対応した誤り訂正構成及び情報記録形式の単位で、磁気テープ８０から左右のフレームを交互に読み出して立体表示用の左右のデジタル情報を再生するものである。この例ではｎ＝２の場合について説明をする。
【手続補正１８】
【補正対象書類名】明細書
【補正対象項目名】０１０８
【補正方法】変更
【補正の内容】
【０１０８】
等化復号回路５６には２つのエラー訂正器８１及び８２が接続され、例えば、ＥＣＣデコーダが使用される。エラー訂正器８１では、等化復号回路５６より出力される立体表示用の左のフレームの再生ビデオデータＶＤｃのエラー訂正が行われる。このエラー訂正器８１では、この左のフレームのビデオデータＶＤｃに付加されているパリティ（Ｃ１パリティ、Ｃ２パリティ）を用いてエラー訂正が行われる。エラー訂正後の圧縮符号化データは左ビデオデータＤＬである。
【手続補正１９】
【補正対象書類名】明細書
【補正対象項目名】０１０９
【補正方法】変更
【補正の内容】
【０１０９】
同様にして、エラー訂正器８２では、等化復号回路５６より出力される立体表示用の右のフレームの再生ビデオデータＶＤｃのエラー訂正が行われる。このエラー訂正器８２では、この右のフレームの再生ビデオデータＶＤｃに付加されているパリティ（Ｃ１パリティ、Ｃ２パリティ）を用いてエラー訂正が行われる。エラー訂正後の圧縮符号化データは右ビデオデータＤＲである。
【手続補正２０】
【補正対象書類名】明細書
【補正対象項目名】０１２９
【補正方法】変更
【補正の内容】
【０１２９】
左ビデオデータＤＬはエラー訂正器８１からビデオ伸張回路９０Ａへ出力される。ビデオ伸張回路９０Ａでは、このエラー訂正器８１より出力されたエラー訂正後の左ビデオデータ（圧縮符号化データ）ＤＬが記録系のビデオ圧縮回路１１とは逆の処理によってデータ伸長が行われる。そして、このビデオ伸長回路９０Ａより出力されるビデオデータＬＳoutは出力端子１９Ａに出力される。
【手続補正２１】
【補正対象書類名】明細書
【補正対象項目名】０１３０
【補正方法】変更
【補正の内容】
【０１３０】
また、右ビデオデータＤＲは、エラー訂正器８２からビデオ伸張回路９０Ｂへ出力される。ビデオ伸張回路９０Ｂでは、このエラー訂正器８２より出力されたエラー訂正後の右ビデオデータ（圧縮符号化データ）ＤＲが記録系のビデオ圧縮回路１２とは逆の処理によってデータ伸長が行われる。そして、このビデオ伸長回路９０Ｂより出力されるビデオデータＲＳoutは出力端子１９Ｂに出力される。なお、エラー訂正後のオーディオデータＤａは再生オーディオ信号ＡＳoutとなって出力端子１８に出力される。
【手続補正２２】
【補正対象書類名】明細書
【補正対象項目名】０１４７
【補正方法】変更
【補正の内容】
【０１４７】
左ビデオデータＤＬはエラー訂正器８１からビデオ伸張回路９０へ出力される。ビデオ伸張回路９０では、このエラー訂正器８１より出力されたエラー訂正後の左ビデオデータ（圧縮符号化データ）ＤＬが記録系のビデオ圧縮回路１１とは逆の処理によってデータ伸長が行われる。そして、このビデオ伸長回路９０より出力される再生ビデオ信号ＬＳoutは出力端子１９に出力される。この出力端子１９には、３Ｄ映像音声再生機能を付加していない通常の映像表示装置のビデオ入力が接続される。なお、エラー訂正後のオーディオデータＤａは再生オーディオ信号ＡＳoutとなって出力端子１８に出力される。出力端子１８には通常の映像表示装置のオーディオ入力が接続される。